(57)【要約】【課題】ラインに沿って配列された指示対象を均一に照明できる車両用計器を提供する。【解決手段】ラインに沿って配列された指示対象を有する文字板と、文字板の背面側においてラインに沿って配列され、文字板を背面側から照明する互いに隣り合う第１光源および第２光源と、文字板の背面側において第１光源に対応して配置され、第１光源からの照明光を文字板に向けて反射させる第１の反射部と、第１光源の前面側に配置され、第１光源から文字板への直接光を遮光するとともに、光反射性を有する第１遮光板と、を備える。第１遮光板の外縁は、第２光源に対向する部位において、前面側から見てラインに沿った方向に窪む凹部を有する。【選択図】図１
2020180854.tif 000002
【特許請求の範囲】
【請求項１】
ラインに沿って配列された指示対象を有する文字板と、
前記文字板の背面側において前記ラインに沿って配列され、前記文字板を背面側から照明する互いに隣り合う第１光源および第２光源と、
前記文字板の背面側において前記第１光源に対応して配置され、前記第１光源からの照明光を前記文字板に向けて反射させる第１反射部と、
前記第１光源の前面側に配置され、前記第１光源から前記文字板への直接光を遮光するとともに、光反射性を有する第１遮光板と、
を備え、
前記第１遮光板の外縁は、前記第２光源に対向する部位において、前面側から見て前記ラインに沿った方向に窪む第１凹部を有する車両用計器。
【請求項２】
前記文字板の背面側において前記第２光源に対応して配置され、前記第２光源からの照明光を前記文字板に向けて反射させる第２反射部と、
前記第２光源の前面側に配置され、前記第２光源から前記文字板への直接光を遮光するとともに、光反射性を有する第２遮光板と、
を備え、
前記第２遮光板の外縁は、前記第１光源に対向する部位において、前面側から見て前記ラインに沿った方向に窪む第２凹部を有する請求項１に記載の車両用計器。
【請求項３】
前記第１反射部と前記第１遮光板は、前面側から見て互いに重なり合う領域を有しない請求項１または２に記載の車両用計器。
【請求項４】
前記第１反射部の内縁は、前面側から見て前記第１遮光板の外縁の前記第１凹部に対向して突出する第１凸部を有する請求項３に記載の車両用計器。
【請求項５】
前記第１反射部の表面は、前面側で径が大きくなるテーパー形状を有する請求項１〜４のいずれか１項に記載の車両用計器。
【請求項６】
前記指示対象は前記ラインとしての円弧に沿って配列される請求項１〜５のいずれか１項に記載の車両用計器。
【請求項７】
前記第１遮光板の前記外縁の前記円弧に沿った方向の前記円弧の外周側における幅は、前記方向の前記円弧の内周側における幅よりも大きくされている請求項６に記載の車両用計器。
【請求項８】
前記指示対象は前記ラインとしての直線に沿って配列される請求項１〜５のいずれか１項に記載の車両用計器。
【請求項９】
前記指示対象は、前記文字板の光透過パターンとして形成される請求項１〜８のいずれか１項に記載の車両用計器。
【発明の詳細な説明】
【技術分野】
【０００１】
本開示は、車両用計器に関する。
【背景技術】
【０００２】
自動車などの車両には、速度計、エンジン回転数計などの運転に必要な情報を表示する計器が搭載されている。計器は、例えば、目盛や数字などの指示対象を形成する文字板、及び指示対象を指し示す指針を有している。文字板には視認者の反対側に設けられる光源から照明が当てられ、文字板を透過する光の強度のパターンが指示対象として視認者に認識される。例えば、周囲よりも透過光が強い領域、あるいは周囲よりも透過光が弱い領域の形状が、目盛や数字の形状として認識されることになる。計器は、指針により指示対象を指し示すことにより、視認者に情報を表示する。
【０００３】
このような計器において、単一の光源で照明できる領域は限られる。このため広範囲で指示対象を照明する必要がある場合には、複数の光源が用いられる。例えば特許文献１には、複数の光源のそれぞれに光反射性を有する凹部と遮光部とを設けて照明の均一化を図った計器装置が、特許文献２には、複数の光源のそれぞれに遮光板を設けた表示装置が、特許文献３には、複数の光源と、照明光を乱反射させる反射面とを組み合わせて構成された照明装置が、それぞれ開示されている。
【先行技術文献】
【特許文献】
【０００４】
【特許文献１】特許第５６８６５７１号公報
【特許文献２】特許第４８６３６８７号公報
【特許文献３】特開２００４−２２６２８５号公報
【発明の概要】
【発明が解決しようとする課題】
【０００５】
しかしながら、従来の装置では、文字板の広い範囲に目盛や数字などの指示対象が配置されている場合、指示対象を均一に照明することが難しい。とくに、例えば、回動する指針が指し示す位置に配置される目盛や文字の領域は、円弧状のラインに沿って長く伸びた形状を有する。このような場合、円弧状のラインに沿った方向について照明の明るさにばらつきがあると、表示品位の低下を招く可能性がある。
【０００６】
本開示は、ラインに沿って配列された指示対象を均一に照明できる車両用計器を提供することを目的とする。
【課題を解決するための手段】
【０００７】
１つの側面では、
ラインに沿って配列された指示対象を有する文字板と、
前記文字板の背面側において前記ラインに沿って配列され、前記文字板を背面側から照明する互いに隣り合う第１光源および第２光源と、
前記文字板の背面側において前記第１光源に対応して配置され、前記第１光源からの照明光を前記文字板に向けて反射させる第１反射部と、
前記第１光源の前面側に配置され、前記第１光源から前記文字板への直接光を遮光するとともに、光反射性を有する第１遮光板と、
を備え、
前記第１遮光板の外縁は、前記第２光源に対向する部位において、前面側から見て前記ラインに沿った方向に窪む第１凹部を有する車両用計器が提供される。
【発明の効果】
【０００８】
本開示によれば、ラインに沿って配列された指示対象を均一に照明できる。
【図面の簡単な説明】
【０００９】
【図１】車両用計器の一実施例である計器１の構成部材の一部を前面側から見た正面図である。
【図２】図１のＩＩ−ＩＩ線方向から見た側面図である。
【図３】文字板の一部を前面側から見た正面図である。
【図４Ａ】照明部１０Ｂ，１０Ｃを前面側から見た正面図である。
【図４Ｂ】図４ＡのＩＶｂ−ＩＶｂ線における断面図である。
【図４Ｃ】図４ＡのＩＶｃ−ＩＶｃ線における断面図である。
【図４Ｄ】図４Ａの一部拡大図である。
【図４Ｅ】遮光板３Ｂ，３Ｃを前面側から見た正面図である。
【図４Ｆ】反射部２Ｂ，２Ｃを前面側から見た正面図である。
【図５】円弧状のラインの位置を示す図である。
【図６Ａ】照明部１０Ａを前面側から見た正面図である。
【図６Ｂ】遮光板３Ａを前面側から見た正面図である。
【図６Ｃ】反射部２Ａを前面側から見た正面図である。
【図７】照明部１０Ｄを前面側から見た正面図である。
【図８】照明部１０Ｂにおいて照明光が反射される様子を示す図である。
【図９Ａ】比較例としての長方形形状の遮光板１０３をラインＬに沿って複数配列した場合における照明の明るさの分布を示す図である。
【図９Ｂ】比較例としての台形形状の遮光板２０３をラインＬに沿って複数配列した場合における照明の明るさの分布を示す図である。
【図９Ｃ】本実施例における遮光板３ＢをラインＬに沿って複数配列した場合における照明の明るさの分布を示す図である。
【図１０Ａ】遮光板における外縁の凹部が曲線形状の場合を示す図である。
【図１０Ｂ】指示対象が直線状のラインに沿って並ぶ場合を示す図である。
【発明を実施するための形態】
【００１０】
以下、添付図面を参照しながら各実施例について詳細に説明する。
【００１１】
図１は、車両用計器の一実施例である計器１の構成部材の一部を前面側から見た正面図、図２は、図１のＩＩ−ＩＩ線方向から見た側面図、図３は、文字板の一部を前面側から見た正面図である。図４Ａは、照明部１０Ｂ，１０Ｃを前面側から見た正面図、図４Ｂは、図４ＡのＩＶｂ−ＩＶｂ線における断面図、図４Ｃは、図４ＡのＩＶｃ−ＩＶｃ線における断面図である。
【００１２】
車両用計器は、例えば自動車や二輪車などの車両や、船舶、農業機械、建設機械に搭載されてよい。本実施例においては、一例として、車両用計器が、自動車のインストルメントパネル内に搭載された計器である例を用いて説明する。
【００１３】
以下の説明において、「前面側」は、図１の手前側及び図２における上側であり、視認者（運転者）に視認される側を意味する。「背面側」は、図１の奥側及び図２における下側を意味する。
【００１４】
計器１は、車両のインストルメントパネル内に搭載されている。計器１は、速度計や、エンジン回転数計、表示パネルなどを介して、運転者（視認者）に種々の情報を表示する。速度計は、車両の速度を表示する指針式（機械式）計器である。
【００１５】
図１および図２に示すように、計器１は、速度計の指針４１などを収容する樹脂製のケース部材１０と、ケース部材１０の前面側に配置された文字板５０（図２）と、ケース部材１０の背面側においてケース部材１０に沿って配置された回路基板６０と（図２）と、を備える。なお、図１では、前面側から見た指針４１の位置をケース部材１０に重ねて示している。
【００１６】
図１に示すように、ケース部材１０は、背面側に向けて開口する複数の開口部１１，１１，・・・と、背面側に向けて略矩形状の領域において開口する開口部１２と、指針４１が指し示す領域において背面側に窪んで形成された凹部１３（図１および図２）と、を有する。凹部１３は、ケース部材１０が前面側に向かって立ち上がる円弧状の壁部１３ａと、壁部１３ａと対向する円弧状の壁部１３ｂ（図１および図４Ｃ）との間に形成される。壁部１３ｂは壁部１３ａよりも小径の円弧状とされ、壁部１３ａおよび壁部１３ｂは互いに同心円上にある。
【００１７】
また、図１に示すように、凹部１３には、凹部１３と対向する領域において文字板５０を照明する４つの照明部１０Ａ、照明部１０Ｂ、照明部１０Ｃおよび照明部１０Ｄが設けられる。照明部１０Ａ〜１０Ｄについては後述する。
【００１８】
ケース部材１０は、例えば表面が白色の部材とされ、表面に光反射性が与えられている。
【００１９】
図１および図２に示すように、回路基板６０には、ＬＥＤ（Ｌｉｇｈｔ  Ｅｍｉｔｔｉｎｇ  Ｄｉｏｄｅ）などを発光体として用いた複数の光源６１，６１，・・・および複数の光源６２，６２，・・・（図１）と、指針４１を駆動する指針駆動部６３と、外部回路（不図示）との接続のためのコネクタ６４ａ，６４ｂと、が実装される。また、回路基板６０には、照明部１０Ａ〜１０Ｄを構成する後述の光源が実装される。
【００２０】
ケース部材１０の開口部１１，１１，・・・のそれぞれは、光源６１，６１，・・・の前面側において、光源６１，６１,・・・のぞれぞれと対向している。光源６１からの照明光は、光源６１に対向する開口部１１を介して文字板５０に照射され、開口部１１に対向する位置において背面側から文字板５０を照明する。
【００２１】
光源６２，６２,・・・は、ケース部材１０の開口部１２に取り付けられる部材（不図示）、例えば、車両の運転に必要な情報を表示するための部材を背面側から照明する。
【００２２】
文字板５０は、例えば透過性（透光性）を有するポリカーボネート樹脂の板状部材を基材として構成される。この基材の前面又は背面に、例えば黒色の遮光性インキによる印刷層を設けることにより、目視可能な指示対象が形成される。指示対象は、文字板５０の光透過パターンとして認識される。
【００２３】
図３に示すように、文字板５０は、指針４１により指し示される指示対象としての目盛５１ａなどが表示された表示領域５１を有する。なお、図３では、実際に形成される目盛５１ａの一部のみを示している。また、表示領域５１内には、目盛５１ａに加えて、速度を示す不図示の文字（数字）なども指示対象として形成される。
【００２４】
指針４１は、指針基部４１ａ（図２）を介して指針駆動部６３の駆動軸６３ａ（図１および図２）に取り付けられる。図３に示すように、指針４１は、駆動軸６３ａの回転に伴って、駆動軸６３ａを中心として文字板５０の面に平行する面上を回動することにより、速度に対応する文字板５０の目盛５１ａを指し示す。
【００２５】
図１に示すケース部材１０の凹部１３は、文字板５０の表示領域５１の背面側に位置し、凹部１３は表示領域５１と対向している。
【００２６】
上記のように、凹部１３を区画する円弧状の壁部１３ａ（図１）および壁部１３ｂ（図１および図４Ｃ）は互いに同心円上にあるが、同心円の中心は駆動軸６３ａの軸心に一致する。また、文字板５０の表示領域５１の外縁５１ｂ（図３）は壁部１３ａと、文字板５０の表示領域５１の内縁５１ｃ（図３）は壁部１３ｂと、それぞれ前面側から見て実質的に重なり合う位置にある。
【００２７】
文字板５０の表示領域５１は、凹部１３に設けられた照明部１０Ａ〜１０Ｄにより背面側から照明される。
【００２８】
次に、照明部１０Ａ〜１０Ｄの構成について説明する。
【００２９】
最初に、図１、図２、図４Ａ〜図４Ｆおよび図５を参照して照明部１０Ｂの構成について説明する。なお、照明部１０Ｃも照明部１０Ｂと同一の構成を有する。
【００３０】
図４Ｄは、図４Ａの一部拡大図、図４Ｅは、遮光板３Ｂ，３Ｃを前面側から見た正面図、図４Ｆは、反射部２Ｂ，２Ｃを前面側から見た正面図、図５は、円弧状のラインの位置を示す図である。
【００３１】
図１、図２、図４Ａ〜図４Ｃおよび図５に示すように、照明部１０Ｂは、文字板５０の背面側において円弧状のラインＬに沿って配列され、文字板５０を背面側から照明する光源４Ｂと、文字板５０の背面側において光源４Ｂに対応して配置され、光源４Ｂからの照明光を文字板５０に向けて反射させる反射部２Ｂと、光源４Ｂの前面側に配置され、光源４Ｂから文字板５０への直接光を遮光するとともに、光反射性を有する遮光板３Ｂと、を備える。
【００３２】
反射部２Ｂおよび遮光板３Ｂは、ケース部材１０の一部として形成される。また、図４Ａ〜図４Ｃに示すように、光源４ＢはラインＬ上において回路基板６０の前面側に実装される。光源４Ｂは、ＬＥＤなどを発光体として用いた光源である。
【００３３】
図４Ａ〜図４Ｆに示すように、反射部２Ｂは、文字板５０の前面と直交する方向、すなわち、図４Ｂおよび図４Ｃの上下方向に延びる中心軸２２を中心とし、背面側から前面側に向けて径が拡大するテーパー形状ないし円錐形状の反射性の表面を有する。図４Ｂおよび図４Ｃに示すように、中心軸２２はほぼ光源４Ｂの中心を通る。また、反射部２Ｂには光源４Ｂを収容する開口２０が形成される。
【００３４】
図４Ａ〜図４Ｆに示すように、遮光板３Ｂは、中心軸２２をほぼ中心として回路基板６０および文字板５０の前面と平行に配置される。また、遮光板３Ｂは、反射部２Ｂから前面側に向けて立ち上がる脚部３１ａおよび脚部３１ｂを有し、回路基板６０あるいは光源４Ｂに対し、前面側に一定の距離を置いて配置される。
【００３５】
図４Ｄ〜図４Ｆに示すように、遮光板３Ｂの外縁は、前面側から見てラインＬに沿った方向に窪む凹部３２ａおよび凹部３２ｂを有する。凹部３２ａは遮光板３Ｂの外縁における照明部１０Ｃ（光源４Ｃ）に対向する部位に設けられる。凹部３２ｂは遮光板３Ｂの外縁における照明部１０Ａ（光源４Ａ）に対向する部位に設けられる。凹部３２ａおよび凹部３２ｂのそれぞれは、互いに交わる２つの直線を組み合わせた形状を有する。
【００３６】
図４Ｅに示すように、遮光板３Ｂの外縁におけるラインＬに沿った方向のラインＬ（円弧）の外周側における幅Ｗ１は、遮光板３Ｂの外縁におけるラインＬに沿った方向のラインＬ（円弧）の内周側における幅Ｗ２よりも大きくされている。
【００３７】
また、開口２０の外周端を形成する反射部２Ｂの内縁は、前面側から見て遮光板３Ａの凹部３２ａに対向し、凹部３２ａに向けて突出する凸部２１ａを有する。凸部２１ａは、互いに交わる２つの直線を組み合わせた形状を有する。また、反射部２Ｂの内縁は、前面側から見て遮光板３Ａの凹部３２ｂに対向し、凹部３２ｂに向けて突出する凸部２１ｂを有する。凸部２１ｂは、互いに交わる２つの直線を組み合わせた形状を有する。
【００３８】
反射部２Ｂと遮光板３Ｂは、脚部３１ａおよび脚部３１ｂを除き、前面側から見て互いに重なり合う領域を有しない。例えば、図４Ｄに示すように、前面側から見て、遮光板３Ｂの外縁と、反射部２Ｂの内縁との間には、遮光板３Ｂの全周にわたり間隙Ｇが形成される。互いに重なり合う領域を有しないことにより、ケース部材１０の成形時に、脚部３１ａおよび脚部３１ｂを含め反射部２Ｂおよび遮光板３Ｂを同時に形成可能となる。
【００３９】
上記のように、照明部１０Ｃの構成は照明部１０Ｂの構成と同一とされる。すなわち、図４Ａ〜図４Ｆに示すように、照明部１０Ｃは、照明部１０Ｂの光源４Ｂ、反射部２Ｂ、および遮光板３Ｂと同一の光源４Ｃ、反射部２Ｃ、および遮光板３Ｃを備える。
【００４０】
遮光板３Ｃの外縁は、前面側から見てラインＬに沿った方向に窪む凹部３２ａおよび凹部３２ｂを有する。凹部３２ａは遮光板３Ｂの外縁における照明部１０Ｄ（光源４Ｄ）に対向する部位に設けられる。凹部３２ｂは遮光板３Ｂの外縁における照明部１０Ｂ（光源４Ｂ）に対向する部位に設けられる。
【００４１】
次に、図６Ａ〜図６Ｃを参照して、照明部４Ａの構成について説明する。図６Ａは、照明部１０Ａの構成を示す図１の一部拡大図、図６Ｂは、遮光板３Ａを前面側から見た正面図、図６Ｃは、反射部２Ａを前面側から見た正面図である。なお、図６Ａ〜図６Ｃにおいて、照明部４Ｂと同一要素には同一符号を付してその説明を省略する。
【００４２】
図６Ａ〜図６Ｃに示すように、照明部１０Ａは、文字板５０の背面側においてラインＬに沿って配列され、文字板５０を背面側から照明する光源４Ａと、文字板５０の背面側において光源４Ａに対応して配置され、光源４Ａからの照明光を文字板５０に向けて反射させる反射部２Ａと、光源４Ａの前面側に配置され、光源４Ａから文字板５０への直接光を遮光するとともに、光反射性を有する遮光板３Ａと、を備える。反射部２Ａおよび遮光板３Ａは、ケース部材１０の一部として形成される。
【００４３】
照明部４Ａは、照明部４Ｂとほぼ同一の構成をとる。ただし、図６Ａ〜図６Ｃに示すように、照明部１０Ａの遮光板３Ａに凹部３２ｂ（図４Ｅ）が形成されておらず、反射部２Ａに凸部２１ｂ（図４Ｆ）が形成されていない。すなわち、図６Ｂに示すように、遮光板３Ａの外縁には、凹部３２ｂ（図４Ｅ）に代えて直線状の側部３３が設けられる。また、図６Ｃに示すように、反射部２Ａの内縁には、凸部２１ｂ（図４Ｆ）に代えて直線状の側部２３（開口２０Ａの左側端部）が設けられる。
【００４４】
凹部３２ａは遮光板３Ａの外縁における照明部１０Ｂ（光源４Ｂ）に対向する部位に設けられる。
【００４５】
照明部１０Ａに凹部３２ｂ（図４Ｅ）および凸部２１ｂ（図４Ｆ）が形成されていないのは、照明部１０Ａが表示領域５１の端部に位置付けられ、側部３３および側部２３の側、すなわち図１において照明部１０Ａの下方に他の照明部が配置されていないことに対応している。
【００４６】
照明部１０Ａの他の要素は、照明部１０Ｂと同一である。
【００４７】
次に、図７を参照して、照明部１０Ｄの構成について説明する。図７は、照明部１０Ｄを前面側から見た正面図である。
【００４８】
図７に示すように、照明部１０Ｄは、照明部１０Ａに対し、線対称の構成（図６Ａを左右反転した構成）を有する。すなわち、遮光板３Ｄの外縁における凹部３２ａおよび反射部２Ｄの内縁における凸部２１ａは、図７において左側に位置する。また、遮光板３Ｄの外縁における直線状の側部３３および反射部２Ｄの内縁における直線状の側部２３は、図７において右側に位置する。照明部１０Ｄの他の構成は、照明部１０Ａと同様である。
【００４９】
凹部３２ａは遮光板３Ｄの外縁における照明部１０Ｃ（光源４Ｃ）に対向する部位に設けられる。
【００５０】
照明部１０Ｄが照明部１０Ａに対し線対称の構成をとることは、照明部１０Ａと同様、照明部１０Ｄが表示領域５１の端部に位置付けられていることに対応している（図１）。
【００５１】
次に、図８などを参照して照明部１０Ａ〜１０Ｄの作用について説明する。図８は、照明部１０Ｂにおいて照明光が反射される様子を示す図である。
【００５２】
上記のように、遮光板３Ｂおよび反射部２Ｂを構成するケース部材１０は反射性を有する。したがって、図８に示すように、照明部１０Ｂにおいて、光源４Ｂからの照明光は回路基板６０の表面、遮光板３Ｂの背面側表面（裏面）、および反射部２Ｂで反射し、熱エネルギーに変換されなかった照明光が文字板５０に到達する。他の照明部１０Ａ，１０Ｃおよび１０Ｄにおいても同様に光源４Ａ，４Ｃおよび４Ｄからの照明光が反射により拡散されるため、少数の光源により広い表示領域５１を均一に照明することができる。
【００５３】
文字板５０を照明する照明光の分布は、遮光板３Ｂおよび反射部２Ｂの形状の影響を受けることは当然であるが、照明光は複雑に反射を繰り返す。このため、それらの形状の相違が照明光の分布に及ぼす影響は単純でない。しかし、発明者の実験によれば、遮光板３Ｂと反射部２Ｂの組み合わせにより、光源４Ｂの直近から、光源４Ｂから離れた位置まで、明るく均一に文字板５０を照明できる。
【００５４】
とくに、遮光板３Ｂの凹部３２ａ，３２ｂおよび反射部２Ｂの凸部２１ａ，２１ｂを設けることにより、ラインＬに沿った両方向、すなわち、図１における照明部１０Ｃに向かう方向および照明部１０Ａへ向かう方向への照明光の均一性が向上する。
【００５５】
また、上記のように、遮光板３Ｂの外縁におけるラインＬに沿った方向のラインＬの外周側における幅Ｗ１は、遮光板３Ｂの外縁におけるラインＬに沿った方向のラインＬの内周側における幅Ｗ２よりも大きくされている（図４Ｅ）。このため、図４Ｅにおける真横方向ではなく、ラインＬに沿った方向への照明光の均一性がより向上する。
【００５６】
本実施例では、照明部１０Ａ〜１０Ｄが互いに対向する側において、遮光板３Ａ〜３Ｄに凹部３２ａまたは３２ｂを、反射部２Ａ〜２Ｄに凸部２１ａまたは２１ｂを、それぞれ設けている。このため、照明部１０Ａと照明部１０Ｂの間、照明部１０Ｂと照明部１０Ｃの間、および照明部１０Ｃと照明部１０Ｄの間における円弧状のラインＬに沿った方向の照明を均一化できる。図３に示すように、本実施例では、指示対象としての目盛５１ａなどが表示された表示領域５１が、円弧に沿った方向について均一に照明される。このため、表示領域５１における表示品位が向上する。
【００５７】
図９Ａ〜図９Ｃは、実験により得られた照明の明るさの分布を示す図であり、図９Ａは、比較例としての長方形形状の遮光板１０３をラインＬに沿って複数配列した場合における照明の明るさの分布を示す図、図９Ｂは、比較例としての台形形状の遮光板２０３をラインＬに沿って複数配列した場合における照明の明るさの分布を示す図、図９Ｃは、本実施例における遮光板３ＢをラインＬに沿って複数配列した場合における照明の明るさの分布を示す図である。
【００５８】
上記実施例と同様、図９Ａに示す反射部１０２の内縁は、遮光板１０３の外縁よりもわずかに大きくされている。また、図９Ｂに示す反射部２０２の内縁は、遮光板２０３の外縁よりもわずかに大きくされている。
【００５９】
図９Ａに示すように、比較例としての長方形形状の遮光板１０３をラインＬに沿って配列した場合には、分布図７１に示すように、隣り合った遮光板１０３の間で、照明光の重なり合いが発生し、照明光が不均一となる。
【００６０】
図９Ｂに示すように、比較例としての台形形状の遮光板２０３をラインＬに沿って複数配列した場合には、分布図７２に示すように、隣り合った遮光板２０３の間で、照明光が充分に届かない領域が生ずることなどにより照明光が不均一となる。なお、遮光板２０３の円弧状のラインＬの外周側の辺の長さＷ４は、ラインＬの内周側の辺の長さＷ５よりも大きくされている。
【００６１】
これらに対し、図９Ｃに示すように、本実施例における遮光板３Ｂ（照明部１０Ｂ）をラインＬに沿って複数配列した場合には、分布図７３に示すように、隣り合った遮光板３Ｂの間で、照明光が均一に分布し、ラインＬに沿った方向における照明光の明るさが均等になる。
【００６２】
（変形例）
遮光板における外縁の凹部の形状は、実施例に例示した形状に限定されず、任意の形状とすることができる。図１０Ａは、遮光板における外縁の凹部が曲線形状の場合を示す図である。図１０Ａに示すように、図４Ｅに示す直線を組み合わせた形状の凹部３２ａに代えて、遮光板３Ｅにおける外縁の凹部３２ｃを曲線形状としてもよい。この場合、反射部の内縁における凸部を遮光板３Ｅの外縁における凹部３２ｃに合わせた曲線形状とすることができる。
【００６３】
図１０Ｂは、指示対象が直線状のラインに沿って並ぶ場合を示している。図１０Ｂにおいて、ラインＬ１は直線状である。この場合、ラインＬ１に沿って照明光の分布を均一にしたいため、遮光板３Ｆの形状をラインＬ１に対して線対称の形状としてもよい。この場合、図１０Ｂにおいて、遮光板３ＦのラインＬ１に沿った方向のラインＬ１の上方における幅Ｗ３は、遮光板３ＦのラインＬ１に沿った方向のラインＬ１の下方における幅Ｗ３に等しくなる。図１０Ｂに示すように、ラインが直線状である場合も、遮光板３Ｆにおける外縁の凹部３２ｄを、直線を組み合わせた形状とすることができる。また、遮光板３Ｆにおける外縁の凹部を、図１０Ａに示したような曲線形状としてもよい。さらに、反射部の内縁における凸部の形状を外縁の凹部に合わせた形状とすることができる。
【００６４】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【符号の説明】
【００６５】
２Ｂ    反射部（第１反射部）
２Ｃ    反射部（第２反射部）
３Ｂ    遮光板（第１遮光板）
３Ｃ    遮光板（第２遮光板）
４Ｂ    光源（第１光源）
４Ｃ    光源（第２光源）
３２ａ  凹部（第１凹部）
３２ｂ  凹部（第２凹部）
２１ａ  凸部（第１凸部）
５０    文字板
５１ａ  目盛（指示対象）
Ｌ      ライン
Ｌ１    ライン
【図１】
2020180854.tif 000003
【図２】
2020180854.tif 000004
【図３】
2020180854.tif 000005
【図４Ａ】
2020180854.tif 000006
【図４Ｂ】
2020180854.tif 000007
【図４Ｃ】
2020180854.tif 000008
【図４Ｄ】
2020180854.tif 000009
【図４Ｅ】
2020180854.tif 000010
【図４Ｆ】
2020180854.tif 000011
【図５】
2020180854.tif 000012
【図６Ａ】
2020180854.tif 000013
【図６Ｂ】
2020180854.tif 000014
【図６Ｃ】
2020180854.tif 000015
【図７】
2020180854.tif 000016
【図８】
2020180854.tif 000017
【図９Ａ】
2020180854.tif 000018
【図９Ｂ】
2020180854.tif 000019
【図９Ｃ】
2020180854.tif 000020
【図１０Ａ】
2020180854.tif 000021
【図１０Ｂ】
2020180854.tif 000022